(57)【要約】【課題】折りたたまれた状態における情報の誤読を防止できる折りたたみ式容器を提供する。【解決手段】折りたたみ式容器１０は、折り曲げ壁面部１１の第１の領域１１ａに設けられ、ＲＦＩＤラベル１が取り付けられるＲＦＩＤ取付部１１ｄと、第２の領域１１ｂに設けられ、ＲＦＩＤラベルの通信に用いられる電波の通過を妨げる第１の遮断部材２と、上方壁面部１３に設けられ、ＲＦＩＤラベルの通信に用いられる電波の通過を妨げる第２の遮断部材３とを備え、折りたたみ式容器１０が折りたたまれた状態において、ＲＦＩＤ取付部１１ｄは、第１の遮断部材２と第２の遮断部材３とに挟まれる位置にある。【選択図】図２
2014044607.tif 000002
【特許請求の範囲】
【請求項１】
少なくとも４方向を囲む壁面部を有し、前記壁面部のうち対向する一組は、折り曲げ部を境にして２つの領域が重なるように折り曲げ可能な折り曲げ壁面部として形成されており、
前記壁面部の境界にある辺と前記折り曲げ壁面部の前記折り曲げ部とを折り曲げて前記折り曲げ壁面部と他の壁面部とを重ねた形態となるように折りたたみ可能な折りたたみ式容器であって、
前記折り曲げ壁面部の一方の領域に設けられ、ＲＦＩＤ媒体が取り付けられるＲＦＩＤ取付部と、
前記ＲＦＩＤ取付部以外の部分であって、前記壁面部のいずれかに設けられ、前記ＲＦＩＤ媒体の通信に用いられる電波の通過を妨げる第１の遮断部材と、
前記ＲＦＩＤ取付部以外の部分であって、前記壁面部のいずれかのうち前記第１の遮断部材とは異なる壁面部に設けられ、前記ＲＦＩＤ媒体の通信に用いられる電波の通過を妨げる第２の遮断部材と、
を備え、
当該折りたたみ式容器が折りたたまれた状態において、前記ＲＦＩＤ取付部は、前記第１の遮断部材と前記第２の遮断部材とに挟まれる位置にあること、
を特徴とする折りたたみ式容器。
【請求項２】
請求項１に記載の折りたたみ式容器において、
前記第１の遮断部材及び前記第２の遮断部材は、当該折りたたみ式容器が折りたたまれた状態で前記ＲＦＩＤ取付部に取り付けられた前記ＲＦＩＤ媒体の少なくともアンテナが形成された範囲を完全に覆うことができる大きさに形成されていること、
を特徴とする折りたたみ式容器。
【発明の詳細な説明】
【技術分野】
【０００１】
本発明は、使用しないときに折りたたむことができる折りたたみ式容器に関するものである。
【背景技術】
【０００２】
工場や小売店等で収容物を収容して搬送や保管等に用いるコンテナ等の容器には、その内容物に関する各種情報を表示するラベルが貼り付けられて用いられることが多い。このようなラベルにＲＦＩＤ（Radio Frequency Identification）インレットを含めて、利便性を高めることが行われている（例えば、特許文献１）。
【０００３】
しかし、容器に収容されている物の運搬が終わった後等、容器の運用が終了した後には、容器ごと廃棄したり、ラベルを剥がしたり、ＲＦＩＤインレットに記憶されている情報の消去や書き換えを行ったりして、情報の誤読を防止する必要があった。
【０００４】
また、従来から、非使用時に折りたたんで小型にすることができる折りたたみ式容器が用いられている（例えば、特許文献２）。折りたたみ式容器は、繰り返し再利用されるものであるから、工場や倉庫内で使用中の容器と使用後の折りたたまれた容器とが近くに置かれている状況が多い。よって、折りたたみ式容器については、情報の誤読防止が特に必要とされていた。
【先行技術文献】
【特許文献】
【０００５】
【特許文献１】特開２００６−５９０８０号公報
【特許文献２】実公平８−２０９９号公報
【発明の概要】
【発明が解決しようとする課題】
【０００６】
本発明の課題は、折りたたまれた状態における情報の誤読を防止できる折りたたみ式容器を提供することである。
【課題を解決するための手段】
【０００７】
本発明は、以下のような解決手段により、前記課題を解決する。
請求項１の発明は、少なくとも４方向を囲む壁面部を有し、前記壁面部のうち対向する一組は、折り曲げ部を境にして２つの領域が重なるように折り曲げ可能な折り曲げ壁面部として形成されており、前記壁面部の境界にある辺と前記折り曲げ壁面部の前記折り曲げ部とを折り曲げて前記折り曲げ壁面部と他の壁面部とを重ねた形態となるように折りたたみ可能な折りたたみ式容器であって、前記折り曲げ壁面部の一方の領域に設けられ、ＲＦＩＤ媒体が取り付けられるＲＦＩＤ取付部と、前記ＲＦＩＤ取付部以外の部分であって、前記壁面部のいずれかに設けられ、前記ＲＦＩＤ媒体の通信に用いられる電波の通過を妨げる第１の遮断部材と、前記ＲＦＩＤ取付部以外の部分であって、前記壁面部のいずれかのうち前記第１の遮断部材とは異なる壁面部に設けられ、前記ＲＦＩＤ媒体の通信に用いられる電波の通過を妨げる第２の遮断部材と、を備え、当該折りたたみ式容器が折りたたまれた状態において、前記ＲＦＩＤ取付部は、前記第１の遮断部材と前記第２の遮断部材とに挟まれる位置にあること、を特徴とする折りたたみ式容器である。
請求項２の発明は、請求項１に記載の折りたたみ式容器において、前記第１の遮断部材及び前記第２の遮断部材は、当該折りたたみ式容器が折りたたまれた状態で前記ＲＦＩＤ取付部に取り付けられた前記ＲＦＩＤ媒体の少なくともアンテナが形成された範囲を完全に覆うことができる大きさに形成されていること、を特徴とする折りたたみ式容器である。
【発明の効果】
【０００８】
本発明によれば、折りたたみ式容器は、折りたたまれた状態における情報の誤読を防止できる。
【図面の簡単な説明】
【０００９】
【図１】本発明の折りたたみ式容器の第１実施形態を示す概略斜視図である。
【図２】折りたたみ式容器１０の折りたたみ過程を示す概略斜視図である。
【図３】折りたたみ式容器１０を折りたたんだ状態を示す概略斜視図である。
【図４】図３中の矢印Ａ−Ａで切断した概略断面図である。
【図５】図４中のＲＦＩＤラベル１付近を拡大した概略断面図である。
【図６】本発明の折りたたみ式容器の第２実施形態を示す概略斜視図である。
【図７】折りたたみ式容器２０の折りたたみ過程を示す概略斜視図である。
【図８】折りたたみ式容器２０を折りたたんだ状態を示す概略斜視図である。
【図９】本発明の折りたたみ式容器の第３実施形態を示す概略斜視図である。
【発明を実施するための形態】
【００１０】
以下、本発明を実施するための最良の形態について図面等を参照して説明する。
【００１１】
（第１実施形態）
図１は、本発明の折りたたみ式容器の第１実施形態を示す概略斜視図である。
図２は、折りたたみ式容器１０の折りたたみ過程を示す概略斜視図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１２】
折りたたみ式容器１０は、直方体形状に形成されており、折り曲げ壁面部１１，１２と、上方壁面部１３と、下方壁面部１４と、可動壁面部１５，１６との６つの壁面部を有した、折りたたみ可能なコンテナである。折りたたみ式容器１０の折りたたみを可能とするための回転軸等の構成は、従来の折りたたみ式コンテナと同様であるので、ここでの詳細な説明及び図示は省略する。なお、コンテナとして用いられる折りたたみ式容器１０は、例えば、樹脂成型品により形成されているものが多いが、本発明を適用する容器としては、樹脂成型品に限らず、紙製等のより簡易な形態のものであってもよい。
【００１３】
折り曲げ壁面部１１は、折り曲げ部１１ｃを中心として第１の領域１１ａと第２の領域１１ｂとの２つの領域に分けられている。折り曲げ壁面部１１は、折り曲げ部１１ｃを折り曲げることにより、第１の領域１１ａと第２の領域１１ｂとが重なるように折りたたむことができる（図２及び図３参照）。
折り曲げ壁面部１１の第１の領域１１ａの略中央には、ＲＦＩＤ取付部１１ｄが設けられている。このＲＦＩＤ取付部１１ｄは、後述するＲＦＩＤラベル１を貼り付ける部分であり、ＲＦＩＤラベル１の外形形状と略等しい四角形の線が印刷又はモールドされている。
折り曲げ壁面部１１の第２の領域１１ｂの略中央には、第１の遮断部材２が貼り付けられている。第１の遮断部材２は、磁性体又は金属により形成された板状の部材である。第１の遮断部材２は、ＲＦＩＤラベル１が通信に利用する電波を遮断する機能を有している。
【００１４】
折り曲げ壁面部１２は、折り曲げ壁面部１１と対向する位置に設けられており、折り曲げ壁面部１１と同様に、折り曲げ部１２ｃを中心として第１の領域１２ａと第２の領域１２ｂとの２つの領域に分けられている。なお、本実施形態では、折り曲げ壁面部１２には、ＲＦＩＤ取付部及び第１の遮断部材を設けていないが、折り曲げ壁面部１１と同様に設けてもよい。
【００１５】
上方壁面部１３は、第１の領域１１ａと第１の領域１２ａにそれぞれ辺１３ａ，１３ｃで隣り合う位置に設けられた壁面部である。この上方壁面部１３は、例えば、辺１３ａを支点側として開閉可能な蓋としての機能を有している。なお、本実施形態の折りたたみ式容器１０は、樹脂成型品により形成したいわゆる折りたたみ式コンテナとなっており、辺１３ａ，１３ｂ，１３ｃ，１３ｄの部分は、別部品により形成されたフレーム構造（図中の太線部分）となっている。
【００１６】
辺１３ａでは、第１の領域１１ａと上方壁面部１３との間を折り曲げることができるようになっている。
辺１３ｂでは、後述の可動壁面部１５を上方壁面部１３に対して折り曲げることができるようになっている。なお、上方壁面部１３は、蓋として開閉できるように辺１３ｂから離れることができるようになっているので、正確には、フレーム構造の辺１３ｂにおいて、可動壁面部１５が回転可能に支持されていることになる。
辺１３ｃでは、第１の領域１２ａと上方壁面部１３とを折り曲げることができるようになっている。
辺１３ｂでは、辺１３ｂと同様に、後述の可動壁面部１６を上方壁面部１３に対して折り曲げることができるようになっている。
【００１７】
また、上方壁面部１３には、第２の遮断部材３が貼り付けられている。第２の遮断部材３は、第１の遮断部材２と同様な部材である。
ＲＦＩＤ取付部１１ｄと第１の遮断部材２と第２の遮断部材３との位置関係については、後述する。
【００１８】
下方壁面部１４は、上方壁面部１３と対向する位置に設けられている。
辺１４ａでは、第２の領域１１ｂと下方壁面部１４との間を折り曲げることができるようになっている。
辺１４ｂでは、第２の領域１２ｂと下方壁面部１４との間を折り曲げることができるようになっている。
【００１９】
可動壁面部１５は、辺１３ｂを支点として回転移動可能に取り付けられている。
可動壁面部１６は、辺１３ｄを支点として回転移動可能に取り付けられている。
可動壁面部１５，１６は、折りたたみ式容器１０を容器として利用するときに、折りたたみ式容器１０が折りたたまないように支える機能を有している。折りたたみ式容器１０を折りたたむときには、先ず、図１の状態から、可動壁面部１５，１６を容器内方向へ押し込んで、回転移動させて、図２に示す位置に移動させる。これにより、支えがなくなり、折りたたみ式容器１０は、辺１３ａ，１３ｃと、折り曲げ部１１ｃと、折り曲げ部１２ｃと、辺１４ａ，１４ｂとの位置で折り曲げることができる。
【００２０】
図３は、折りたたみ式容器１０を折りたたんだ状態を示す概略斜視図である。
図４は、図３中の矢印Ａ−Ａで切断した概略断面図である。
図５は、図４中のＲＦＩＤラベル１付近を拡大した概略断面図である。
なお、図４及び図５は、ＲＦＩＤ取付部１１ｄにＲＦＩＤラベル１を貼り付けた状態で示している。
ＲＦＩＤラベル１は、不図示の粘着剤層によりＲＦＩＤ取付部１１ｄに貼り付けられる。ＲＦＩＤラベル１は、ＩＣチップ１ａ及びアンテナ１ｂを有したＲＦＩＤ媒体である。
【００２１】
ＲＦＩＤラベル１は、折りたたみ式容器１０及びその収容物に関する情報をＩＣチップ１ａに電子的に記憶可能であって、アンテナ１ｂを介して無線により情報を書き込み可能及び読み取り可能である。ＩＣチップ１ａに電子的に書き込まれる情報としては、例えば、収容物の識別情報、注文番号等の注文情報、納品先情報、納品日等の日付情報等の他に、収容物の一覧リストであって、その物品名や数量等、様々な情報を書き込むことができる。
【００２２】
折りたたみ式容器１０を折りたたんだ状態では、ＲＦＩＤ取付部１１ｄは、第１の遮断部材２と第２の遮断部材３とに挟まれる位置にある。よって、この状態では、ＲＦＩＤ取付部１１ｄに貼り付けられたＲＦＩＤラベル１のアンテナ１ｂも、第１の遮断部材２と第２の遮断部材３とに挟まれて両側から完全に覆われた状態となる。したがって、折りたたみ式容器１０を折りたたんだ状態では、ＲＦＩＤラベル１が通信に利用する電波が第１の遮断部材２及び第２の遮断部材３により遮断されて、アンテナ１ｂに到達できず、ＲＦＩＤラベル１は、外部と通信を行うことができない。
【００２３】
以上説明したように、第１実施形態によれば、折りたたみ式容器１０を折りたたんだ状態では、ＲＦＩＤ取付部１１ｄは、第１の遮断部材２と第２の遮断部材３とに挟まれるので、ＲＦＩＤラベル１は、外部と通信を行うことができない。よって、使用されていない折りたたみ式容器１０を折りたたんでおけば、ＩＣチップ１ａに電子的に書き込まれた情報が不用意に誤読されてしまうことを防止できる。
【００２４】
（第２実施形態）
図６は、本発明の折りたたみ式容器の第２実施形態を示す概略斜視図である。
図７は、折りたたみ式容器２０の折りたたみ過程を示す概略斜視図である。
第２実施形態の折りたたみ式容器２０は、第１実施形態の折りたたみ式容器１０における上方壁面部１３に相当する壁面部が無い点と、ＲＦＩＤ取付部２１ｄと第１の遮断部材２と第２の遮断部材３の位置が異なる他は、第１実施形態の折りたたみ式容器１０と同様である。よって、前述した第１実施形態と同様の機能を果たす部分には、同様な符号を付して、重複する説明を適宜省略する。
【００２５】
折りたたみ式容器２０は、一方が開放された直方体形状に形成されており、折り曲げ壁面部２１，２２と、フレーム２３と、下方壁面部２４と、可動壁面部２５，２６との５つの壁面部を有した、折りたたみ可能なコンテナである。
折り曲げ壁面部２１は、折り曲げ部２１ｃを中心として第１の領域２１ａと第２の領域２１ｂとの２つの領域に分けられている。折り曲げ壁面部２１は、折り曲げ部２１ｃを折り曲げることにより、第１の領域２１ａと第２の領域２１ｂとが重なるように折りたたむことができる（図７及び図８参照）。
折り曲げ壁面部２１の第１の領域２１ａの可動壁面部２５に近い位置には、ＲＦＩＤ取付部２１ｄが設けられている。このＲＦＩＤ取付部２１ｄは、ＲＦＩＤラベル１を貼り付ける部分であり、ＲＦＩＤラベル１の外形形状と略等しい四角形の線が印刷又はモールドされている。
折り曲げ壁面部２１の第２の領域２１ｂの可動壁面部２５に近い位置には、第１の遮断部材２が貼り付けられている。
【００２６】
折り曲げ壁面部２２は、折り曲げ壁面部２１と対向する位置に設けられており、折り曲げ壁面部２１と同様に、折り曲げ部２２ｃを中心として第１の領域２２ａと第２の領域２２ｂとの２つの領域に分けられている。
【００２７】
フレーム２３は、図中に太線で示した部分に四角形形状に形成されており、辺２３ａ，２３ｂ，２３ｃ，２３ｄを有し、第１の領域２１ａ，２２ａ及び可動壁面部２５，２６を回転移動可能に支持する。
【００２８】
下方壁面部２４は、第１の領域２１ａと第１の領域２２ａにそれぞれ辺２４ａ，２４ｂで隣り合う位置に設けられた壁面部である。
辺２４ａでは、第２の領域２１ｂと下方壁面部２４との間を折り曲げることができるようになっている。
辺２４ｂでは、第２の領域２２ｂと下方壁面部２４との間を折り曲げることができるようになっている。
【００２９】
可動壁面部２５は、辺２３ｂを支点として回転移動可能に取り付けられている。可動壁面部２５の折り曲げ壁面部２１に近い位置には、第２の遮断部材３が貼り付けられている。この第２の遮断部材３は、折りたたみ式容器２０が折りたたまれたときに、ＲＦＩＤ取付部２１ｄと重なり、ＲＦＩＤ取付部２１ｄを完全に覆うことができるような位置及び大きさになっている。
可動壁面部２６は、辺２３ｄを支点として回転移動可能に取り付けられている。
折りたたみ式容器２０を折りたたむときには、先ず、図６の状態から、可動壁面部２５，２６を容器内方向へ押し込んで、回転移動させて、図７に示す位置に移動させる。これにより、支えがなくなり、折りたたみ式容器２０は、辺２３ａ，２３ｃと、折り曲げ部２１ｃと、折り曲げ部２２ｃと、辺２４ａ，２４ｂとの位置で折り曲げることができる。
【００３０】
図８は、折りたたみ式容器２０を折りたたんだ状態を示す概略斜視図である。
折りたたみ式容器２０を折りたたんだ状態では、ＲＦＩＤ取付部２１ｄは、第２の領域２１ｂの第１の遮断部材２と可動壁面部２５の第２の遮断部材３とに挟まれる位置にある。よって、この状態では、ＲＦＩＤ取付部２１ｄに貼り付けられたＲＦＩＤラベル１のアンテナ１ｂも、第１の遮断部材２と第２の遮断部材３とに挟まれて両側から完全に覆われた状態となる。したがって、折りたたみ式容器２０を折りたたんだ状態では、ＲＦＩＤラベル１が通信に利用する電波が第１の遮断部材２及び第２の遮断部材３により遮断されて、アンテナ１ｂに到達できず、ＲＦＩＤラベル１は、外部と通信を行うことができない。
【００３１】
以上説明したように、第２実施形態によれば、蓋となる部材がなく、上方が開放された折りたたみ式容器２０であっても、これを折りたたんだ状態では、ＲＦＩＤ取付部２１ｄは、第１の遮断部材２と第２の遮断部材３とに挟まれるので、ＲＦＩＤラベル１は、外部と通信を行うことができない。よって、使用されていない折りたたみ式容器２０を折りたたんでおけば、ＩＣチップ１ａに電子的に書き込まれた情報が不用意に誤読されてしまうことを防止できる。
【００３２】
（第３実施形態）
図９は、本発明の折りたたみ式容器の第３実施形態を示す概略斜視図である。
第３実施形態についても、前述した第１実施形態と同様の機能を果たす部分には、同様な符号を付して、重複する説明を適宜省略する。
【００３３】
折りたたみ式容器３０は、一方が開放された直方体形状に形成されており、折り曲げ壁面部３１，３２と、側壁面部３７，３８と、下方壁面部３９との５つの壁面部を有した、折りたたみ可能なコンテナである。
折り曲げ壁面部３１は、折り曲げ部３１ｃを中心として第１の領域３１ａと第２の領域３１ｂとの２つの領域に分けられている。折り曲げ壁面部３１は、折り曲げ部３１ｃを折り曲げることにより、第１の領域３１ａと第２の領域３１ｂとが重なるように折りたたむことができる。
折り曲げ壁面部３１の第１の領域３１ａの略中央には、ＲＦＩＤ取付部３１ｄが設けられている。このＲＦＩＤ取付部３１ｄは、ＲＦＩＤラベル１を貼り付ける部分であり、ＲＦＩＤラベル１の外形形状と略等しい四角形の線が印刷又はモールドされている。
折り曲げ壁面部３１の第２の領域３１ｂの略中央には、第１の遮断部材２が貼り付けられている。
【００３４】
折り曲げ壁面部３２は、折り曲げ壁面部３１と対向する位置に設けられており、折り曲げ壁面部３１と同様に、折り曲げ部３２ｃを中心として第１の領域３２ａと第２の領域３２ｂとの２つの領域に分けられている。
【００３５】
側壁面部３７は、第１の領域３１ａと第１の領域３２ａとの間にある壁面部である。
辺３７ａでは、第１の領域３１ａと側壁面部３７との間を折り曲げることができるようになっている。
辺３７ｂでは、第１の領域３２ａと側壁面部３７との間を折り曲げることができるようになっている。
側壁面部３８は、第２の領域３１ｂと第２の領域３２ｂとの間にある壁面部である。
辺３８ａでは、第２の領域３１ｂと側壁面部３８との間を折り曲げることができるようになっている。
辺３７ｂでは、第２の領域３２ｂと側壁面部３８との間を折り曲げることができるようになっている。
【００３６】
下方壁面部３９は、図中の下方において折り曲げ壁面部３１，３２と、側壁面部３７，３８とを支持する壁面部である。下方壁面部３９は、折り曲げ壁面部３１，３２及び側壁面部３７，３８に対しては固定されていない。下方壁面部３９には、折り曲げ壁面部３１，３２及び側壁面部３７，３８が係合する係合溝３９ａが形成されており、この係合溝３９ａに折り曲げ壁面部３１，３２及び側壁面部３７，３８が係合することにより、折りたたみ式容器３０が使用状態における箱形状を維持するようになっている。
【００３７】
折りたたみ式容器３０を折りたたむときには、下方壁面部３９の係合溝３９ａから折り曲げ壁面部３１，３２及び側壁面部３７，３８を取り外し、折り曲げ部３１ｃ，３２ｃ及び辺３７ａ，３７ｂ，３８ａ，３７ｂで折り曲げる。
折りたたみ式容器３０を折りたたんだ状態では、ＲＦＩＤ取付部３１ｄは、第２の領域３１ｂの第１の遮断部材２と側壁面部３７の第２の遮断部材３とに挟まれる位置にある。よって、この状態では、ＲＦＩＤ取付部３１ｄに貼り付けられたＲＦＩＤラベル１のアンテナ１ｂも、第１の遮断部材２と第２の遮断部材３とに挟まれて両側から完全に覆われた状態となる。したがって、折りたたみ式容器３０を折りたたんだ状態では、ＲＦＩＤラベル１が通信に利用する電波が第１の遮断部材２及び第２の遮断部材３により遮断されて、アンテナ１ｂに到達できず、ＲＦＩＤラベル１は、外部と通信を行うことができない。
【００３８】
以上説明したように、第２実施形態によれば、折りたたまれる方向が第１実施形態とは異なる形態の折りたたみ式容器３０であっても、これを折りたたんだ状態では、ＲＦＩＤ取付部３１ｄは、第１の遮断部材２と第２の遮断部材３とに挟まれるので、ＲＦＩＤラベル１は、外部と通信を行うことができない。よって、使用されていない折りたたみ式容器３０を折りたたんでおけば、ＩＣチップ１ａに電子的に書き込まれた情報が不用意に誤読されてしまうことを防止できる。
【００３９】
（変形形態）
以上説明した実施形態に限定されることなく、種々の変形や変更が可能であって、それらも本発明の範囲内である。
【００４０】
各実施形態において、ＲＦＩＤ取付部には、ＲＦＩＤ媒体としてＲＦＩＤラベルを貼り付ける例を挙げて説明した。これに限らず、例えば、ＲＦＩＤ媒体としてのＲＦＩＤタグを差し込むような形態のＲＦＩＤ取付部であってもよい。
【００４１】
各実施形態において、第１の遮断部材２及び第２の遮断部材３は、壁面部に貼り付けた例を挙げて説明した。これに限らず、例えば、第１の遮断部材２及び第２の遮断部材３を貼り付けずに、インサート成型等により壁面部に埋め込むようにしてもよい。
【００４２】
各実施形態において、折り曲げ壁面部の第１の領域にＲＦＩＤ取付部を設け、第２の領域に第１の遮蔽部材を設けた例を挙げて説明した。これに限らず、例えば、第２の領域には遮蔽部材を設けずに、下方壁面部に第１の遮蔽部材を設けるようにしてもよい。
【００４３】
なお、第１実施形態から第３実施形態及び変形形態は、適宜組み合わせて用いることもできるが、詳細な説明は省略する。また、本発明は、以上説明した各実施形態によって限定されることはない。
【符号の説明】
【００４４】
１      ＲＦＩＤラベル
１ａ    ＩＣチップ
１ｂ    アンテナ
２      第１の遮断部材
３      第２の遮断部材
１０，２０，３０  折りたたみ式容器
１１，１２，２１，２２，３１，３２  折り曲げ壁面部
１１ａ，１２ａ，２１ａ，２２ａ，３１ａ，３２ａ  第１の領域
１１ｂ，１２ｂ，２１ｂ，２２ｂ，３１ｂ，３２ｂ  第２の領域
１１ｃ，１２ｃ，２１ｃ，２２ｃ，３１ｃ，３２ｃ  折り曲げ部
１１ｄ，２１ｄ，３１ｄ  ＲＦＩＤ取付部
１３    上方壁面部
１３ａ，１３ｂ，１３ｃ，１３ｄ，１４ａ，１４ｂ  辺
１４，２４，３９  下方壁面部
１５，１６，２５，２６  可動壁面部
２３    フレーム
２３ａ，２３ｂ，２３ｃ，２３ｄ，２４ａ，２４ｂ  辺
３７，３８  側壁面部
３９ａ  係合溝
３７ａ，３７ｂ，３８ａ  辺
【図１】
2014044607.tif 000003
【図２】
2014044607.tif 000004
【図３】
2014044607.tif 000005
【図４】
2014044607.tif 000006
【図５】
2014044607.tif 000007
【図６】
2014044607.tif 000008
【図７】
2014044607.tif 000009
【図８】
2014044607.tif 000010
【図９】
2014044607.tif 000011